(57)【要約】【課題】リフターを用いずに簡単な構造で単位ユニットを筐体から安全に取り出すことができる、製造コストが安価な電力変換装置を提供する。【解決手段】下面に車輪３２ａを備えた単位ユニット３０を前後方向に移動可能に載置する載置棚１６を底板１１に設け、左右一対の側板１３，１４の前縁に一対の取付部１７を設けた筐体１０と、筐体１０の一対の取付部１７間に取り外し可能に取り付けられて載置棚１６に載置された単位ユニット３０を固定するとともに外部から保護する保護カバー２０とを備える。保護カバー２０を取り外した状態から、保護カバー２０の一縁２０ａに設けられた差込爪２２ａ〜２２ｄを載置棚１６に設けられた差込穴１８ａ〜１８ｄに差し込んで保護カバー２０の一縁２０ａを支持するとともに、保護カバー２０の一縁２０ａと反対側の縁２０ｂを支持して保護カバー２０を一縁２０ａから反対側の縁２０ｂにかけて下る傾斜状態とする。【選択図】図１
2017103857.tif 000002
【特許請求の範囲】
【請求項１】
底板、頂板、左右一対の側板及び後板を有するとともに、電気回路を方形のシャーシに収納し、下面に車輪を備えた単位ユニットを前後方向に移動可能に載置する載置棚を前記底板に設け、前記左右一対の側板の前縁に一対の取付部を設けた筐体と、
矩形平板状に形成され、前記筐体の前記一対の取付部間に取り外し可能に取り付けられて前記載置棚に載置された前記単位ユニットを固定するとともに外部から保護する保護カバーとを備え、
前記載置棚の前縁近傍に差込穴を設けるとともに、前記保護カバーの一縁に前記差込穴に入り込み可能な差込爪を設け、前記保護カバーを取り外した状態から、前記差込爪を前記差込穴に差し込んで前記保護カバーの一縁側を支持するとともに、前記保護カバーの一縁と反対側の縁を支持して前記保護カバーを前記一縁から前記反対側の縁にかけて下る傾斜状態とし、前記単位ユニットが前記保護カバーの主面上を移動可能となることを特徴とする電力変換装置。
【請求項２】
前記保護カバーの前記反対側の縁に、前記保護カバーの移動を阻止するストッパーを設けたことを特徴とする請求項１に記載の電力変換装置。
【発明の詳細な説明】
【技術分野】
【０００１】
本発明は、電気回路を方形のシャーシに収納してなる単位ユニットを筐体内に取り出し可能に収容した電力変換装置に関する。
【背景技術】
【０００２】
従来のこの種の電力変換装置として、例えば、特許文献１に示すものが知られている。
特許文献１に示す電力変換装置は、水平部材を有する筐体と、電気回路を方形のシャーシに収納してなり水平部材上に引き出し可能に設けられた単位ユニットと、単位ユニットの水平方向への引き出しを阻止するロック機構とを備えている。そして、水平部材は、平板状のトレイと、トレイの上部両端にトレイの前後方向に対して水平に配置され、所定の厚さを有する平板からなる２本のスペーサレールとから構成されている。また、単位ユニットの底部には、スペーサレール上に載置される複数のボールキャスターが取り付けられている。また、ロック機構は、単位ユニットの底部を形成する底板から下方に折り曲げられた突起で構成される。
【０００３】
そして、単位ユニットの引き出しに際しては、昇降式のリフターを所定の位置に配置し、リフターに備えられたアームの爪を、トレイ上であってスペーサレールに触れる位置に載置する。アームの爪とスペーサレールとは同じ厚さを有し、単位ユニットをアームの爪側に引き出すと、ボールキャスターが当該爪上に乗り移り、単位ユニットがリフターのアーム上に乗る。これにより、リフターを用いて単位ユニットを電力変換装置の筐体から取り出すことができる。
【先行技術文献】
【特許文献】
【０００４】
【特許文献１】特開２００２−２７１９２１号公報
【発明の概要】
【発明が解決しようとする課題】
【０００５】
しかしながら、この従来の特許文献１に示す電力変換装置にあっては、以下の問題点があった。
即ち、単位ユニットを筐体から安全に引き出すために、単位ユニットの底部を形成する底板にロック機構を設けている。このため、単位ユニットを筐体から引き出す構造が複雑となり、製造コストが増加してしまうという問題がある。
また、リフターを別途用意しなければ単位ユニットを筐体から取り出すことができず、単位ユニットを筐体から取り出すための装置が大がかりなものとなる。
【０００６】
従って、本発明はこれら従来の問題点を解決するためになされたものであり、その目的は、リフターを用いずに簡単な構造で単位ユニットを筐体から安全に取り出すことができる、製造コストが安価な電力変換装置を提供することにある。
【課題を解決するための手段】
【０００７】
上記目的を達成するために、本発明の一態様に係る電力変換装置は、底板、頂板、左右一対の側板及び後板を有するとともに、電気回路を方形のシャーシに収納し、下面に車輪を備えた単位ユニットを前後方向に移動可能に載置する載置棚を前記底板に設け、前記左右一対の側板の前縁に一対の取付部を設けた筐体と、矩形平板状に形成され、前記筐体の前記一対の取付部間に取り外し可能に取り付けられて前記載置棚に載置された前記単位ユニットを固定するとともに外部から保護する保護カバーとを備え、前記載置棚の前縁近傍に差込穴を設けるとともに、前記保護カバーの一縁に前記差込穴に入り込み可能な差込爪を設け、前記保護カバーを取り外した状態から、前記差込爪を前記差込穴に差し込んで前記保護カバーの一縁側を支持するとともに、前記保護カバーの一縁と反対側の縁を支持して前記保護カバーを前記一縁から前記反対側の縁にかけて下る傾斜状態とし、前記単位ユニットが前記保護カバーの主面上を移動可能となることを要旨とする。
【発明の効果】
【０００８】
本発明に係る電力変換装置によれば、リフターを用いずに簡単な構造で単位ユニットを筐体から安全に取り出すことができる、製造コストが安価な電力変換装置を提供できる。
【図面の簡単な説明】
【０００９】
【図１】本発明の一実施形態に係る電力変換装置の筐体に収容される単位ユニットを示し、（Ａ）は左側面図、（Ｂ）は正面図である。
【図２】本発明の一実施形態に係る電力変換装置の筐体から保護カバーを取り外した状態の斜視図である。
【図３】図２に示す状態から電力変換装置の筐体に保護カバーを取り付けた状態の斜視図である。
【図４】図３に示す状態から保護カバーを取り外した状態の斜視図である。
【図５】図４に示す状態から電力変換装置の筐体の差込穴に保護カバーの差込爪を差し込んで保護カバーの差込爪がある下縁と反対側の上縁を地上に支持して保護カバーを下縁から上縁にかけて下る傾斜状態とした状態の斜視図である。
【図６】図５に示す状態から単位ユニットが保護カバーの主面上を移動し、ストッパーに当接した状態の斜視図である。
【発明を実施するための形態】
【００１０】
以下、本発明の実施形態について図面を参照して説明する。
本発明の一実施形態に係る電力変換装置の筐体に収容される単位ユニットが図１に示されており、単位ユニット３０は、方形のシャーシ３１の下面の四隅に４つの車輪３２を備えている。方形のシャーシ３１内には、図示はしないが、整流器、平滑回路、インバータ回路などの電気回路が収納されている。
そして、図２に示すように、電力変換装置１は、筐体１０と、保護カバー２０とを備えている。
【００１１】
筐体１０は、図２に示すように、矢印ＡＢで示す前後方向、前後方向に直交する矢印ＣＤで示す左右方向、及び前後方向及び左右方向に直交する矢印ＥＦで示す上下方向に延びる略直方体形状に構成される。ここで、矢印Ａは前方向、矢印Ｂは後方向、矢印Ｃは左方向、矢印Ｄは右方向、矢印Ｅは上方向、及び矢印Ｆは下方向を示し、以下、本明細書において方向はこれを基準として説明する。
筐体１０は、底板１１、頂板１２、左右一対の側板１３、１４及び後板１５を有し、前側が開放されて内部に複数の単位ユニット３０を収容する単位ユニット収容空間Ａを形成している。
【００１２】
そして、筐体１０の底板１１上には、単位ユニット収容空間Ａにおいて、複数の単位ユニット３０を前後方向に移動可能に載置する載置棚１６が設けられている。各単位ユニット３０の車輪３２が載る載置棚１６の上面は、底板１１の上面よりも高い位置となるように載置棚１６は底板１１上に設置される。載置棚１６は、筐体１０内において底板１１を覆う直方体形状の平板で構成され、底板１１が延びる水平方向と平行の水平方向に延びるように設置される。
また、筐体１０の左右一対の側板１３、１４の前縁には、一対の取付部１７が設けられている。これら一対の取付部１７間には、後述するように、保護カバー２０が取り外し可能に取り付けられる。
また、筐体１０の載置棚１６の前縁近傍には、複数（本実施形態にあっては４つ）の差込穴１８ａ，１８ｂ，１８ｃ，１８ｄが形成されている。これら差込穴１８ａ，１８ｂ，１８ｃ，１８ｄには、後述するように、保護カバー２０が取り外された状態から、保護カバー２０の差込爪２２ａ，２２ｂ，２２ｃ，２２ｄが差込まれる。
【００１３】
次に、保護カバー２０は、図２に示すように、矩形平板状に形成された金属部材であり、金属板を打抜き及び曲げ加工することによって形成される。保護カバー２０の左縁２０ｃ及び右縁２０ｄには、一対の取付片２１が設けられている。各取付片２１は、保護カバー２０の左縁２０ｃあるいは右縁２０ｄから前側に折り曲げ形成され、保護カバー２０の上縁から下縁近傍に至るまで延びている。保護カバー２０は、図３に示すように、筐体１０の前側から一対の取付部１７間に取り付けられる。この際に、各取付片２１は取付部１７の内側に接して押圧され、保護カバー２０を弾性的に支持する機能を有する。保護カバー２０は、後方から前方に押圧することにより、筐体１０から取り外すことができる。保護カバー２０は、複数の単位ユニット３０の前面を覆う面積よりも大きな面積を有し、図３に示すように、筐体１０に取付られた際には、複数の単位ユニット３０を前方から押圧し、筐体１０の後板１５との間で複数の単位ユニット３０を固定する。また、この際に、保護カバー２０によって複数の単位ユニット３０及び図示しない導電部は筐体１０の外部より保護される。
【００１４】
また、保護カバー２０の下縁２０ａには、載置棚１６に形成された複数の差込穴１８ａ，１８ｂ，１８ｃ，１８ｄに入り込み可能な複数（本実施形態にあっては４つ）の差込爪２２ａ，２２ｂ，２２ｃ，２２ｄが設けられている。各差込爪２２ａ，２２ｂ，２２ｃ，２２ｄは、保護カバー２０下縁２０ａから前側に折り曲げ形成される。これら差込爪２２ａ，２２ｂ，２２ｃ，２２ｄは、図３に示すように、保護カバー２０を筐体１０に取り付けた際には、載置棚１６の前縁近傍の上面上に位置した状態となる。また、差込爪２２ａ，２２ｂ，２２ｃ，２２ｄは、保護カバー２０を筐体１０から取り外した状態（図４に示す状態）から、差込穴１８ａ，１８ｂ，１８ｃ，１８ｄに差し込まれる。これにより、保護カバー２０の下縁２０ａ側を載置棚１６に支持する（図５参照）。一方、保護カバー２０の差込爪２ａ，２２ｂ，２２ｃ，２２ｄがある下縁２０ａと反対側の上縁２０ｂは、地上に支持され、保護カバー２０は、下縁２０ａから上縁２０ｂにかけて下る傾斜状態とされる。これにより、図６に示すように、載置棚１６に載置されている各単位ユニット３０は車輪３２を介して保護カバー２０の主面上を移動可能となる。
更に、保護カバー２０の上縁２０ｂには、図６に示すように、保護カバー２０の移動を阻止するストッパー２３が設けられている。このストッパー２３は、保護カバー２０の上縁２０ｂから後側に折り曲げ形成され、保護カバー２０の左縁近傍から右縁近傍に至るまで延びている。
【００１５】
このように構成された電力変換装置１の筐体１０内への各単位ユニット３０の収容方法及び筐体１０からの各単位ユニット３０の取出し方法について、図２乃至図６を参照して説明する。
先ず、電力変換装置１の筐体１０内へ各単位ユニット３０を収容するには、図２に示すように、保護カバー２０を筐体１０から取り外しておく。この状態で、各単位ユニット３０を車輪３２を下にして載置棚１６上に載置する。
次いで、図３に示すように、保護カバー２０を、筐体１０の前側から一対の取付部１７間に取り付ける。この際に、保護カバー２０の各取付片２１は取付部１７の内側に接して押圧され、保護カバー２０は弾性的に支持される。また、保護カバー２０の差込爪２２ａ，２２ｂ，２２ｃ，２２ｄが、載置棚１６の前縁近傍の上面上に位置した状態となる。これにより、保護カバー２０は、各単位ユニット３０を前方から押圧し、筐体１０の後板１５との間で複数の単位ユニット３０を固定する。また、この際に、保護カバー３０によって複数の単位ユニット３０及び図示しない導電部は筐体１０の外部より保護される。
【００１６】
そして、筐体１０から各単位ユニット３０を取り出す際には、先ず、保護カバー２０を、後方から前方に押圧することにより、図４に示すように、筐体１０から取り外す。そして、保護カバー２０の差込爪２２ａ，２２ｂ，２２ｃ，２２ｄを、保護カバー２０を筐体１０から取り外した状態（図４に示す状態）から、図５に示すように、差込穴１８ａ，１８ｂ，１８ｃ，１８ｄに差し込む。これにより、保護カバー２０の下縁２０ａ側が載置棚１６に支持される。一方、保護カバー２０の差込爪２２ａ，２２ｂ，２２ｃ，２２ｄがある下縁２０ａと反対側の上縁２０ｂは、地上に支持され、保護カバー２０は、下縁２０ａから上縁２０ｂにかけて下る傾斜状態とされる。
【００１７】
これにより、図６に示すように、載置棚１６に載置されている各単位ユニット３０は保護カバー２０の主面上を移動可能となるので、各単位ユニット３０を車輪３２を介して保護カバー３０の主面上を斜め下方に向けて移動させて各単位ユニット３０を取り出す。
このように、本実施形態に係る電力変換装置１によれば、筐体１０の載置棚１６の前縁近傍に差込穴１８ａ，１８ｂ，１８ｃ，１８ｄを設けるとともに、保護カバー２０の下縁（一縁）２０ａに差込穴１８ａ，１８ｂ，１８ｃ，１８ｄに入り込み可能な差込爪２２ａ，２２ｂ，２２ｃ，２２ｄを設ける。そして、保護カバー２０を取り外した状態から、差込爪２２ａ，２２ｂ，２２ｃ，２２ｄを差込穴１８ａ，１８ｂ，１８ｃ，１８に差し込んで保護カバー２０の下縁２０ａを支持するとともに、保護カバー２０の差込爪２２ａ，２２ｂ，２２ｃ，２２ｄがある下縁２０ａと反対側の上縁２０ｂを支持して保護カバー２０を下縁２０ａから上縁２０ｂにかけて下る傾斜状態とする。そして、各単位ユニット３０が保護カバー２０の主面上を移動可能となる。このため、リフターを用いずに簡単な構造で単位ユニット３０を筐体１０から安全に取り出すことができる。
【００１８】
また、各単位ユニット３０を固定するとともに外部から保護する保護カバー２０を各単位ユニット３０を取り出す部材に兼用できるため、部品点数が少なく製造コストを安価なものとすることができる。
そして、各単位ユニット３０が保護カバー２０の主面上を斜め下方に向けて移動するときには、各単位ユニット３０は保護カバー２０の上縁２０ｂに設けられたストッパー２３に一旦当接してその移動が阻止される。このため、各単位ユニット３０が傾斜状態の保護カバー２０上で勢いついて保護カバー２０から外れることが防止され、各単位ユニット３０を一層安全に取り出すことができる。
そして、各単位ユニット３０を筐体１０から取り出した後、保護カバー２０を筐体１０に取り付ければよい。
【００１９】
以上、本発明の実施形態について説明してきたが、本発明はこれに限定されずに種々の変更、改良を行うことができる。
例えば、保護カバー２０は、金属部材で構成されているが、単位ユニット３０の荷重に耐えられる材質であれば金属製以外であってもよい。
また、差込爪２２ａ，２２ｂ，２２ｃ，２２ｄは、保護カバー２０の下縁２０ａに設けられているが、保護カバー２０の上縁２０ｂに設けてもよい。
【符号の説明】
【００２０】
１  電力変換装置
１０  筐体
１１  底板
１２  頂板
１３，１４  側板
１５  後板
１６  載置棚
１７  取付部
１８ａ，１８ｂ，１８ｃ，１８ｄ  差込穴
２０  保護カバー
２０ａ  下縁（一縁）
２０ｂ  上縁（反対側の縁）
２２ａ，２２ｂ，２２ｃ，２２ｄ  差込爪
２３  ストッパー
３０  単位ユニット
３１  シャーシ
３２ａ  車輪
【図１】
2017103857.tif 000003
【図２】
2017103857.tif 000004
【図３】
2017103857.tif 000005
【図４】
2017103857.tif 000006
【図５】
2017103857.tif 000007
【図６】
2017103857.tif 000008